(57)【要約】      （修正有）【課題】履物を履く際、履物の方向が履物を履く人に対して逆方向の位置にあると、その履物の方向を変えないと履物を履けないので不便であったので、履物の位置が前後のどの方向に向いていても、履く事が出来る履物を提供する。【解決手段】１つの履物に足カバーを履物の中央を境にして２ヶ所に設置して、前後どちらの方向からでもこの履物を履けるようにした。足カバーの入り口を足先が容易に挿入出来るように足カバーの裏側に足カバー全体を覆うようにしてバネを足台に設置して、足カバー入り口の高さを保持させてこの履物を容易に履けるようにさせる。２つある足カバーの１つに足先が挿入されて、もう１つの足カバーは踵に踏まれている状態となる。この履物を脱ぐと踵が去り、去ると同時に足カバー内部に設置した、バネ装置のバネの力で足カバー入り口を、即、足先が容易に入る高さに戻し、次の人がこの履物を前後の位置からいつでも履ける状態を保持する。【選択図】図１
2014124520.tif 000002
【特許請求の範囲】
【請求項１】
前後の位置から履くことが出来る履物で、足先を挿入させて履物を履く為の足カバーを１つ、または２つ設置し、また足カバーを持ち上げたり、移動させて、前後から履ける履物とする。
【発明の詳細な説明】
【技術分野】
【０００１】この発明は、前後の方向から履くことが出来る履物で、前後から履けるようにする為に履物の中央に足カバーを１つまたは２つ設置し、バネの力で足カバーを移動、または持ち上げたりさせて、前後から履けるようにした履物である。
【背景技術】
【０００２】履物を履く際、従来の履物は片側方向からだけしか履けないので、履物を履く人に対して履物の方向が逆方向にある場合は、履物の方向をその都度変えないとその履物を履くことが出来なかった。
【発明の概要】
【発明が解決しようとする課題】
【０００３】従来、履物を履く際、履物の方向が履物を履く人に対して逆方向の位置にあると、その履物の方向を変えないと履物を履けないので不便であったので履物の位置が前後のどの方向に向いていても、履く事が出来る履物を考案した。
【課題を解決するための手段】
【０００４】下記のように、２種類の前後の方向から履ける履物を説明する
その１
足台（符号１の足を載せる台、以後足台と表示）の中央を境にして、前後２ヶ所に足カバーを設置し、足カバーに足先を容易に挿入させて、履物をスムーズに履けるようにする為に、足台の先端部分に足カバーを持ち上げる為のバネを足カバーの裏面を覆うようにして設置する。
この履物は、２つの足カバーが常時持ち上がった状態となっていて、この履物を履くと２つの足カバーのうち１つの足カバーには足先が挿入され、もう１つの足カバーには、足の踵に踏まれる状態になる、この状態がこの履物を履いている状態となる。この履物を脱ぐと踵に踏まれていた足カバーの部分は、バネの力で足カバーの入り口を素早く持ち上げて元の状態に戻させる、そして２つの足カバーの入り口は元の持ち上がった状態に戻り、次の人がいつでもこの履物を前後の位置から履けるようにする。
その２
この前後から履ける履物は、足台の中央に１つの足カバーを常時この位置に置いて、いつでもこの履物を前後の位置から履けるようにする履物で、この履物を履くと中央にある足カバーが中央の位置から足先の力で前方方向に押された状態となる、また、この履物を脱ぐと前方にある足カバーはバネの力により即、この履物の中央位置に戻り、足カバーを常に中央位置に置くことにより、いつでも次の人がこの履物を履ける状態にする。
【発明の効果】
【０００５】従来の履物を履く際、履物の足の挿入口が前後になく片方向だけにある為に、玄関や庭先等から履物を脱いで家に入る際、履物の方向を変えないまま家に上がると、次にその履物を履く人は、その都度その履物の方向を変えないと、その履物を履くことが出来ず大変不便であった、また家に上がる際に自分の脱いだ履物の位置を、次にその履物を履く人の為に、その都度その履物の方向変換することも、大変不便なことで、これらのことは日常茶飯事のことであり、この不便さを解消する為に履物の方向を変更せずに、履物を前後どちらの方向からでも履ける履物は大変便利な履物である
【図面の簡単な説明】
【０００６】
【図１】斜視図（足台の前後に足カバーを２つ設置した、前後から履ける履物）
【図２】上部から見た図（同上）
【図３】左右の側面図（同上）
【図４】足カバーを除いた足カバーの内側にあるバネ（このバネの力で足カバーを常時、足先が容易に挿入出来る高さを保持する）を表示
【図５】足カバーが踵（符号５）に踏まれている状態を表示し、足カバーのしわが足台より外側にはみ出ないようにする為に、符号２の表示のように足カバーに糸等を縦に縫い付けることで、はみ出しの防止が出来るので、足カバーのはみ出しの有、無状況を表示した図で、左側符号６の図は縫い付けがあるので足台から足カバーが、はみ出されず折り畳まれているが、縫い付けがないと符号７の図のように足台から足カバーがはみ出すことになる、このはみ出しがあると履物が大変履き難くなるので、この縫い付けを必要とする。
【図６】斜視図（足台の中央に足カバーが１つある、前後から履ける履物で、符号８の四角管器具の前後に記載されている横線の下部の四角管器具内部に符号１１の押しバネが挿入されている。（図７も同様）
【図７】上部から見た図
【図８】左右の側面図
【図９】前後からの側面図で足カバーの動きが図１６の各器具と連動する流れを表示する。
【図１０】足を載せる足台で、足台の両サイドの溝に図１１の四角管器具を設置する。
【図１１】四角管器具（この器具を四角管器具と表示）で、側面中央部分に切れ目（符号９）を設け、この切れ目を境にして、図１６の符号１１、１３、１４の部分をこの図と同じ配列で、四角管器具の内部に挿入させる、履物を履くと前方に足カバーは移動し、その動きと連動して押しバネも前方に移動するが、バネは圧縮された状態で、履物を脱ぐと足カバーは押しバネ（符号１１）の反発力で素早く、元の中央の位置に戻って、次の人が前後の方向からいつでもこの履物を履ける状態にする。
【図１２】押しバネで、図１６の符号１４の両端に隣接して配置し、符号１１、１３、１４の部分を四角管器具内部に挿入する。履物を履いた後に、この履物を脱ぐ時に、前方に移動した足カバーを足カバー下部の符号１０のＵ字型器具と連動している押しバネの力で素早く足カバーを中央位置に戻す。
【図１３】足台の両サイドに図１１の四角管器具を設置した図である。
【図１４】足カバーの両下部に取り付けるＵ字型器具で、図１５のＨ字型器具の符号１２の部分と強固に付着させるために取り付ける。
【図１５】Ｈ字型器具で、符号１２の部分は、足カバーの両下部にある符号１０の部分と強固に付着させる部分で、符号１３の両端に符号１４の装置がありこの装置に隣接して符号１１の押しバネが配置されている。この押しバネの力と符号２の足カバーの動きがこのＨ字型器具を経由して相互に連動する事が出来、この履物の足カバーが前後に動く事を容易にさせる。
【図１６】Ｕ字型器具の符号１０の部分とＨ字型器具の符号１２の部分を付着した図に、符号１４に隣接する符号１１の押しバネの図を追加合体した図である。符号１１、１３，１４の部分は、図１１の四角管器具の符号９の切れ目を境に四角管器具内にこの図と同じ配列で挿入させる。このＨ字型器具の符号１２の部分が足カバーの下部の符号１０の部分と付着することにより、押しバネの力と足カバーの動きが連動し。履物を履くと足カバーが前方に移動し、それに伴い押しハネも前方に押され、押しバネは圧縮されている状態となるが、履物を脱ぐとその押しバネの反発力で、押しバネは元の長さに戻る力で素早く足カバーを元の中央位置に戻し、次の人にこの履物を履ける状態にする。
【図１７】足カバーの両下部に符号１０のＵ字型器具を取り付けた図である
【図１８】図１６と図１７の図を合体した図である。
【発明を実施するための形態】
【０００７】相違する２種類の前後から履ける履物の形態である
その１（足カバーが２つある前後から履ける履物）
足台（符号１）に足カバー（符号２）を前後２ヶ所に設置して、履物を前後どちらの方向からでも履けるようにした。
各足カバー裏側には、足カバーの内側全体を覆うようにしてバネ（符号４）を足台に取り付け、そのバネの力で足カバーの入り口を足先が容易に入れる高さを保持する。履物を履く場合、２つの足カバーの１つには足先が挿入され、もう１つの足カバーは踵に踏まれた状態となり、この状態が履物を履いている状態となる。踏まれている足カバーは足カバーのしわが足台よりはみ出さないようにする為に、符号３のように足カバーの側面に糸等で縦に縫い付ける事により、符号６の図のように足台から足カバーがはみ出さないが、糸等の縫い付けがないと符号７のように足台から足カバーがはみ出して、歩行が困難となるので、この縫い付けを必要とする。
その２（足カバーが中央に１つある前後から履ける履物）
こちらの前後から履ける履物は足台の中央に足カバー（図６の符号２）を１つ設置し、その足カバーを常時中央位置に置くことにより、この履物を前後の方向からいつでも履ける状態を保持する。この履物を履くと足カバーは中央位置から前方に移動することでその履物を履いた状態となる、またこの履物を脱ぐ時は脱ぐと同時に押しバネの力で、足カバーは元の中央位置に素早く戻り、次の人がこの履物をいつでも履ける状態に戻す。
足カバーが移動する流れは、足カバーの下部に取り付けてあるＵ字型器具（符号１０）に、Ｈ字型器具の符号１２の部分を付着させる事により符号１１の押しバネの力と足カバーの動きを連動させる、図１６の符号１１、１３、１４の部分をこの配列と同様にして四角管器具（符号８）内部に符号９の切れ目を境にして挿入させる、押しバネ（符号１１）の伸縮は符号１４を起点にして作動し、符号１４に隣接して配置する、この履物を履くと足カバーは前方に押されて移動すると同時に押しバネも一緒に前方に押されて、押しバネは圧縮される状態となる、この状態がこの履物を履いている時で、またこの履物を脱ぐと図１１の四角管器具の中で圧縮された状態の押しバネは元の状態に戻ろうとする力が働いて、その力で足カバーは素早く元の中央位置に戻り、次の人がこの履物を前後の位置からいつでも履ける状態に戻す。
【符号の説明】
【０００８】１    足台（履物を履いた時に足が載る台で、足台と表示する）
２    足カバー（履物を履く時に足先を挿入するカバーで、足カバーと表示する）
３    足カバーが足台からはみ出ないように、足カバーの側面に糸等で縦に縫い付けをして足カバーのはみ出しを防止させ、足カバーが踵に踏まれる際に足カバーが足台からはみ出さなくさせる為の装置（図５に表示あり）
４    足台に設置したバネ（足台の前後に２つあり足カバーの内側から常時足カバーを持ち上げ、足カバーの入り口から足先が容易に挿入出来る高さを保持する）
５    踵
６    足カバーが踵に踏まれている様子で、足カバーが足台からはみ出さなくさせるために足カバーの側面に糸等で縦に縫い付けをする事で、足カバーが足台の外側にはみ出ない図（符号６）である。
７    こちら図は足カバーの側面に糸等で縦の縫い付けをしないために、符号６の足カバーのように足カバーが折り重ならない為に、足台から足カバーがはみ出している図であり歩行困難となるので、足カバーの取り付けを必要とする。
８    足台の両サイドに設置する四角管器具で、この四角管器具の側面に切れ目（符号９）を設け、この履物の足カバーと連動している図１６の符号１１、１３、１４の部分を四角管器具の切れ目（符号９）を境にこの図と同様の配列で挿入する、この履物を履くと足カバーが前方に移動し、この足カバーが前方にある時は履物を履いている時で、その後この履物を脱ぐと、押しバネの力で足カバーは素早く中央位置に戻り、次の人にこの履物をいつでも履ける状態にする。
９    四角管器具の側面にある切れ目で、この切れ目を境に符号１１、１３、１４がこの四角管器具内に挿入される。
１０  図１４のＵ字型器具で、足カバーの下部にこのＵ字型器具を取り付けることにより、符号１２の部分と強固に付着にさせる
１１  押しバネで、四角管器具の内部の両端に挿入させる。（図６，７の四角管器具の横線部分の下部にこの押しバネが挿入されている。）
１２  Ｈ字型器具の１部で、説明をし易くする為に符号１１と符号１２に分けた、こちらは、足カバーの下部に取り付けた符号１０の側面部分と強固に付着させる。
１３  Ｈ字型器具の１部で、この符号１３の両端に符号１４の箇所がある
１４  符号１３の両端にある装置で、この装置を押しバネの伸縮の起点にして、この押しバネの力で足カバーを常に中央位置に戻すように作用する。
【図１】
2014124520.tif 000003
【図２】
2014124520.tif 000004
【図３】
2014124520.tif 000005
【図４】
2014124520.tif 000006
【図５】
2014124520.tif 000007
【図６】
2014124520.tif 000008
【図７】
2014124520.tif 000009
【図８】
2014124520.tif 000010
【図９】
2014124520.tif 000011
【図１０】
2014124520.tif 000012
【図１１】
2014124520.tif 000013
【図１２】
2014124520.tif 000014
【図１３】
2014124520.tif 000015
【図１４】
2014124520.tif 000016
【図１５】
2014124520.tif 000017
【図１６】
2014124520.tif 000018
【図１７】
2014124520.tif 000019
【図１８】
2014124520.tif 000020